(57)【要約】【課題】  処置具挿入部をコンパクトに収納して手技の短時間化及び容易化を図るとともに、処置具挿入部の挿抜の際に収納装置や処置具の操作部を周囲と干渉せずに操作可能な内視鏡用処置具および内視鏡を提供すること。【解決手段】  鉗子（内視鏡用処置具）１は、先端に一対の鉗子片（処置具先端部）２、３が接続されて内視鏡の鉗子チャンネルに挿通可能な可撓性挿入部（処置具挿入部）７と、可撓性挿入部７を収納する収納装置８と、一対の鉗子片２、３を操作する操作部とを備えている。  収納装置８は、収納本体１１と、収納本体１１に中心軸が回転自在に枢支され可撓性挿入部７の基端側を支持するとともに可撓性挿入部７を外周面に巻回可能な円柱状のロール状部材１２と、収納本体１１に設けられ内視鏡に着脱可能に形成された取付部１３とを備えている構成とした。【選択図】  図２
2005230159.tif 000002
【特許請求の範囲】
【請求項１】
生体に処置を行う処置部を先端に有して内視鏡の鉗子チャンネルに挿通可能な処置具挿入部と、
該処置具挿入部を収納する収納装置と、
前記処置部を操作する操作部とからなり、
前記収納装置が、前記内視鏡の鉗子口近傍に着脱可能な取付部を備えていることを特徴とする内視鏡用処置具。
【請求項２】
供給されたエネルギーに基づき生体に処置を行うエネルギー処置部を先端に有して内視鏡の鉗子チャンネルに挿通可能な処置具挿入部と、
該処置具挿入部を収納する収納装置と、
外部のエネルギー源から供給される前記エネルギーを前記エネルギー処置部に伝達するエネルギー伝達端とからなり、
前記収納装置が、前記内視鏡の鉗子口近傍に着脱可能な取付部を備えていることを特徴とする内視鏡用処置具。
【請求項３】
前記収納装置が、収納本体と、
該収納本体に回転可能に枢支され前記処置具挿入部の基端側を支持するとともに処置具挿入部を外周面に巻回可能なロール状部材とからなり、
前記操作部又は前記エネルギー伝達端が、前記処置具挿入部と直接、又は前記ロール状部材を介して着脱可能とされていることを特徴とする請求項１又は２に記載の内視鏡用処置具。
【請求項４】
前記ロール状部材には、前記操作部又は前記エネルギー伝達端が着脱可能な接続部が設けられていることを特徴とする請求項３に記載の内視鏡用処置具。
【請求項５】
前記ロール状部材には、前記接続部が露出して配された切欠部が形成されていることを特徴とする請求項４に記載の内視鏡用処置具。
【請求項６】
前記接続部は、前記処置具挿入部に設けられていることを特徴とする請求項４又は５に記載の内視鏡用処置具。
【請求項７】
前記ロール状部材の外周面の少なくとも一部を覆う覆い部材が前記収納本体に支持されていることを特徴とする請求項３から６の何れか一つに記載の内視鏡用処置具。
【請求項８】
前記切欠部が前記ロール状部材の中央部の側面に開放して設けられ、前記接続部が前記ロール状部材の外周方向から径方向内方に向かって延びて前記切欠部に露出されていることを特徴とする請求項５から７の何れか一つに記載の内視鏡用処置具。
【請求項９】
前記切欠部が前記ロール状部材の中心から径方向外方に向かって扇状に設けられ、前記接続部が前記中心から径方向外方に向かって延びて前記切欠部に露出されていることを特徴とする請求項５から８の何れか一つに記載の内視鏡用処置具。
【請求項１０】
前記取付部が、前記収納本体に回転自在に接続されていることを特徴とする請求項３から９の何れか一つに記載の内視鏡用処置具。
【請求項１１】
前記処置具挿入部が、可撓性の操作管部と、
該操作管部の内部に進退自在に延びて前記操作部の操作を前記処置部に伝達する操作ワイヤ部とからなり、
前記接続部が、前記操作管部の基端側又は前記ロール状部材に配設されて前記操作部と接続可能な第１の接続部と、
前記操作ワイヤ部の基端側に配設されて前記操作部と接続可能な第２の接続部とを備えていることを特徴とする請求項４から１０の何れか一つに記載の内視鏡用処置具。
【請求項１２】
前記ロール状部材には、前記処置具挿入部が巻回される外周面と前記切欠部とを連通し、前記操作管部が前記外周面側の一端に接続された通路が設けられ、
前記第１の接続部が、前記通路の他端に設けられ、前記第２の接続部が、前記通路を貫通して前記切欠部に露出された前記操作ワイヤ部の基端に設けられていることを特徴とする請求項１１に記載の内視鏡用処置具。
【請求項１３】
前記ロール状部材には、前記処置具挿入部が巻回される外周面と前記切欠部とを連通し、前記操作管部と前記操作ワイヤ部との基端側が貫通可能な通路が設けられ、
前記第１の接続部が、前記操作管部の基端に設けられ、前記第２の接続部が、前記操作ワイヤ部の基端に設けられていることを特徴とする請求項１１に記載の内視鏡用処置具。
【請求項１４】
前記操作部が、前記第１の接続部と係合可能な第１の係止部と、
前記第２の接続部と係合可能な第２の係止部とを備えていることを特徴とする請求項１１から１３の何れか一つに記載の内視鏡用処置具。
【請求項１５】
前記第１の接続部と前記第２の接続部との間に、これらの間隔を保持するバネ部材が配されていることを特徴とする請求項１１から１４の何れか一つに記載の内視鏡用処置具。
【請求項１６】
可撓性の挿入部と、
該挿入部の基端に接続された内視鏡操作部とを備え、
前記内視鏡操作部に、請求項１から１５の何れか一つに記載の内視鏡用処置具の取付部が着脱可能な受け部が、前記内視鏡操作部に配設された鉗子口よりも前記内視鏡操作部の基端側に配されていることを特徴とする内視鏡。
【請求項１７】
前記受け部が複数設けられていることを特徴とする請求項１６に記載の内視鏡。
【請求項１８】
生体に処置を行う処置部を先端に有して内視鏡の鉗子チャンネルに挿通可能な処置具挿入部と、
該処置具挿入部を収納する収納装置と、
前記処置部を操作指示する指示手段と、
該指示手段による指示に基づき前記処置部を駆動する駆動手段とからなり、
前記収納装置が、前記内視鏡の鉗子口近傍に着脱可能な取付部を備えていることを特徴とする内視鏡用処置具システム。
【請求項１９】
前記収納装置が、収納本体と、
該収納本体に回転可能に枢支され前記処置具挿入部の基端側を支持するとともに処置具挿入部を外周面に巻回可能なロール状部材とからなり、
前記駆動手段が、前記処置具挿入部と直接、又は前記ロール状部材を介して着脱可能とされていることを特徴とする請求項１８に記載の内視鏡用処置具システム。
【請求項２０】
前記ロール状部材には、前記駆動手段が着脱可能な接続部が設けられていることを特徴とする請求項１９に記載の内視鏡用処置具システム。
【請求項２１】
前記ロール状部材には、前記接続部が露出して配された切欠部が形成されていることを特徴とする請求項２０に記載の内視鏡用処置具システム。
【請求項２２】
前記接続部は、前記処置具挿入部に設けられていることを特徴とする請求項２０又は２１に記載の内視鏡用処置具システム。
【請求項２３】
前記ロール状部材の外周面の少なくとも一部を覆う覆い部材が前記収納本体に支持されていることを特徴とする請求項１９から２２の何れか一つに記載の内視鏡用処置具システム。
【請求項２４】
前記切欠部が前記ロール状部材の中央部の側面に開放して設けられ、前記接続部が前記ロール状部材の外周方向から径方向内方に向かって延びて前記切欠部に露出されていることを特徴とする請求項２１から２３の何れか一つに記載の内視鏡用処置具システム。
【請求項２５】
前記取付部が、前記収納本体に回転自在に接続されていることを特徴とする請求項１９から２４の何れか一つに記載の内視鏡用処置具システム。
【請求項２６】
前記処置具挿入部が、可撓性の操作管部と、
該操作管部の内部に進退自在に延びて前記駆動手段の駆動力を前記処置部に伝達する操作ワイヤ部とからなり、
前記接続部が、前記操作管部の基端側又は前記ロール状部材に配設されて前記駆動手段と接続可能な第１の接続部と、
前記操作ワイヤ部の基端側に配設されて前記駆動手段と接続可能な第２の接続部とを備えていることを特徴とする請求項２０から２５の何れか一つに記載の内視鏡用処置具システム。
【請求項２７】
前記ロール状部材には、前記処置具挿入部が巻回される外周面と前記切欠部とを連通し、前記操作管部が前記外周面側の一端に接続された通路が設けられ、
前記第１の接続部が、前記通路の他端に設けられ、前記第２の接続部が、前記通路を貫通して前記切欠部に露出された前記操作ワイヤ部の基端に設けられていることを特徴とする請求項２６に記載の内視鏡用処置具システム。
【請求項２８】
前記ロール状部材には、前記処置具挿入部が巻回される外周面と前記切欠部とを連通し、前記操作管部と前記操作ワイヤ部との基端側が貫通可能な通路が設けられ、
前記第１の接続部が、前記操作管部の基端に設けられ、前記第２の接続部が、前記操作ワイヤ部の基端に設けられていることを特徴とする請求項２６に記載の内視鏡用処置具システム。
【請求項２９】
前記駆動手段が、前記第１の接続部と係合可能な第１の係止部と、
前記第２の接続部と係合可能な第２の係止部とを備えていることを特徴とする請求項２６から２８の何れか一つに記載の内視鏡用処置具システム。
【請求項３０】
前記第１の接続部と前記第２の接続部との間に、これらの間隔を保持するバネ部材が配されていることを特徴とする請求項２６から２９の何れか一つに記載の内視鏡用処置具システム。
【請求項３１】
可撓性の挿入部と、該挿入部の基端に接続された内視鏡操作部とを有する内視鏡を備え、
前記内視鏡操作部に、前記取付部が着脱可能な受け部が、前記内視鏡操作部に配設された鉗子口よりも前記内視鏡操作部の基端側に配されていることを特徴とする請求項１８から３０の何れか一つに記載の内視鏡用処置具システム。
【請求項３２】
前記受け部が複数設けられていることを特徴とする請求項３１に記載の内視鏡用処置具システム。
【発明の詳細な説明】
【技術分野】
【０００１】
本発明は、内視鏡用処置具及び内視鏡並びに内視鏡用処置具システムに関する。
【背景技術】
【０００２】
内視鏡用処置具は、内視鏡の鉗子チャンネルを介して体腔内に挿入する際、処置具挿入部が長く、その取扱いが煩わしい。そこで、処置具を収納する際に、処置具挿入部を回転体に巻き取って保管する収納装置が提案されている（例えば、特許文献１参照。）。また、回転体に巻回された処置具挿入部を取り出しながら内視鏡の鉗子チャンネルに挿入し、回転体に挿入部が巻回された状態でも処置具の操作が可能な処置具も提案されている（例えば、特許文献２参照。）。
さらに、例えば、カテーテルのように内視鏡とは別に処置具単独でも使用する処置具であって、基端部分が円板状部材に巻き取られているとともに、巻回状態のままで使用することができる処置具が提案されている（例えば、特許文献３参照。）。
【特許文献１】特開平５−１５４８８号公報  （第１２図）
【特許文献２】米国特許第５６９５４９１号明細書  （第１図）
【特許文献３】米国特許第３９９５６２８号明細書  （第４図）
【発明の開示】
【発明が解決しようとする課題】
【０００３】
しかしながら、上記特許文献１の技術は、処置具の収納を目的とするため、使用時には長い処置具挿入部を取り扱わなければならないという問題が未だ残されている。
また、上記特許文献２の技術は、収納装置が内視鏡と独立して配せられるため、処置具の操作時には収納装置が内視鏡から離れていて収納装置が支持されていないので操作しにくい。また、内視鏡を動かす際に収納装置が追従しないので、収納装置が内視鏡の動きの妨げになってしまう場合があった。さらに、処置具挿入部の挿抜時に回転体が回転すると処置具の操作部がこれに伴って一緒に回転して周囲に干渉してしまう問題があった。
また、上記特許文献３の技術は、処置具の先端部を操作するものではないため、可動性を有する処置具にそのまま適用することができないという問題を生じていた。
本発明は、上記事情に鑑みて成されたもので、処置具挿入部をコンパクトに収納して手技の短時間化及び容易化を図るとともに、処置具挿入部の挿抜の際に収納装置や処置具の操作部が周囲と干渉せずに操作可能な内視鏡用処置具及び内視鏡並びに内視鏡用処置具システムを提供することを目的とする。
【課題を解決するための手段】
【０００４】
本発明は、上記課題を解決するため、以下の手段を採用する。
本発明に係る内視鏡用処置具は、生体に処置を行う処置部を先端に有して内視鏡の鉗子チャンネルに挿通可能な処置具挿入部と、該処置具挿入部を収納する収納装置と、
前記処置部を操作する操作部とからなり、前記収納装置が、前記内視鏡の鉗子口近傍に着脱可能な取付部を備えていることを特徴とする。
また、本発明に係る内視鏡用処置具は、供給されたエネルギーに基づき生体に処置を行うエネルギー処置部を先端に有して内視鏡の鉗子チャンネルに挿通可能な処置具挿入部と、該処置具挿入部を収納する収納装置と、外部のエネルギー源から供給される前記エネルギーを前記エネルギー処置部に伝達するエネルギー伝達端とからなり、前記収納装置が、前記内視鏡の鉗子口近傍に着脱可能な取付部を備えていることを特徴とする。
【０００５】
この内視鏡用処置具は、処置具挿入部が収納装置に収納されているので、処置具の取扱いを容易にすることができる。また、収納装置が取付部によって内視鏡に着脱自在とされているので、処置具による操作が必要なときのみ内視鏡に取り付けて処置を行うことができる。
【０００６】
また、本発明に係る内視鏡用処置具は、前記内視鏡用処置具であって、前記収納装置が、収納本体と、該収納本体に回転可能に枢支され前記処置具挿入部の基端側を支持するとともに処置具挿入部を外周面に巻回可能なロール状部材とからなり、前記操作部又は前記エネルギー伝達端が、前記処置具挿入部と直接、又は前記ロール状部材を介して着脱可能とされていることを特徴とする。
また、本発明に係る内視鏡用処置具は、前記内視鏡用処置具であって、前記ロール状部材には、前記操作部又は前記エネルギー伝達端が着脱可能な接続部が設けられていることを特徴とする。
【０００７】
この内視鏡用処置具は、ロール状部材をその中心軸まわりに回転することによって処置具挿入部をロール状部材の外周面に巻回することができ、処置具挿入部をコンパクトに収納して処置具挿入部の挿抜時における取扱いの煩わしさを抑えることができる。また、処置部の操作が必要なときのみ操作部を、又は、エネルギー処置部の操作が必要なときのみエネルギー伝達端を処置具挿入部と直接、或いは、前記ロール状部材を介して、又は接続部に取り付けて操作することができ、それ以外のときには操作部を外した状態でロール部材に処置具挿入部を巻回することができ、操作部或いはエネルギー伝達端が周囲に干渉することを抑えることができる。
【０００８】
また、本発明に係る内視鏡用処置具は、前記内視鏡用処置具であって、前記ロール状部材には、前記接続部が露出して配された切欠部が形成されていることを特徴とする。
また、本発明に係る内視鏡用処置具は、前記内視鏡用処置具であって、前記切欠部が前記ロール状部材の中央部の側面に開放して設けられ、前記接続部が前記ロール状部材の外周方向から径方向内方に向かって延びて前記切欠部に露出されていることが好ましい。
また、本発明に係る内視鏡用処置具は、前記内視鏡用処置具であって、前記切欠部が前記ロール状部材の中心から径方向外方に向かって扇状に設けられ、前記接続部が前記中心から径方向外方に向かって延びて前記切欠部に露出されていることが好ましい。
【０００９】
この内視鏡用処置具は、操作部或いはエネルギー伝達端と接続部とをそれぞれ接続する際、処置具挿入部がロール状部材に巻回状態とされていても、接続部が処置具挿入部に埋没されることを防ぐことができ、処置具挿入部がロール状部材に巻回された状態でも操作部或いはエネルギー伝達端を接続部に着脱することができる。
【００１０】
また、本発明に係る内視鏡用処置具は、前記内視鏡用処置具であって、前記接続部は、前記処置具挿入部に設けられていることを特徴とする。
この内視鏡用処置具は、操作部或いはエネルギー伝達端を直接処置具挿入部に取り付けることができる。
【００１１】
また、本発明に係る内視鏡用処置具は、前記内視鏡用処置具であって、前記ロール状部材の外周面の少なくとも一部を覆う覆い部材が前記収納本体に支持されていることを特徴とする。
この内視鏡用処置具は、処置具挿入部を鉗子チャンネルから引き抜いてロール状部材に巻回する際、処置具挿入部がロール状部材の外周面から外方に飛び出そうとしても、覆い部材に接触させてそれ以上処置具挿入部が外方に飛び出すことを抑えることができ、処置具挿入部の巻回を容易に行うことができる。
【００１２】
また、本発明に係る内視鏡用処置具は、前記内視鏡用処置具であって、前記取付部が、前記収納本体に回転自在に接続されていることを特徴とする。
この内視鏡用処置具は、内視鏡に取付部を取り付けた際、取付部に対して収納本体を回転することによって収納本体の向きを手技の邪魔にならない向きに変更することができる。
【００１３】
また、本発明に係る内視鏡用処置具は、前記内視鏡用処置具であって、前記処置具挿入部が、可撓性の操作管部と、該操作管部の内部に進退自在に延びて前記操作部の操作を前記処置部に伝達する操作ワイヤ部とからなり、前記接続部が、前記操作管部の基端側又は前記ロール状部材に配設されて前記操作部と接続可能な第１の接続部と、前記操作ワイヤ部の基端側に配設されて前記操作部と接続可能な第２の接続部とを備えていることを特徴とする。
この内視鏡用処置具は、操作部と第１の接続部及び第２の接続部とをそれぞれ接続することによって、操作部を取り付けて処置部を操作することができる。
【００１４】
また、本発明に係る内視鏡用処置具は、前記内視鏡用処置具であって、前記ロール状部材には、前記処置具挿入部が巻回される外周面と前記切欠部とを連通し、前記操作管部が前記外周面側の一端に接続された通路が設けられ、前記第１の接続部が、前記通路の他端に設けられ、前記第２の接続部が、前記通路を貫通して前記切欠部に露出された前記操作ワイヤ部の基端に設けられていることを特徴とする。
【００１５】
また、本発明に係る内視鏡用処置具は、前記内視鏡用処置具であって、前記ロール状部材には、前記処置具挿入部が巻回される外周面と前記切欠部とを連通し、前記操作管部と前記操作ワイヤ部との基端側が貫通可能な通路が設けられ、前記第１の接続部が、前記操作管部の基端に設けられ、前記第２の接続部が、前記操作ワイヤ部の基端に設けられていることを特徴とする。
この内視鏡用処置具は、操作部の操作によって第１の接続部と第２の接続部との相対距離を変えることによって、操作管部に対して操作ワイヤ部を相対的に移動させることができ、処置部を操作することができる。
【００１６】
また、本発明に係る内視鏡用処置具は、前記内視鏡用処置具であって、前記操作部が、前記第１の接続部と係合可能な第１の係止部と、前記第２の接続部と係合可能な第２の係止部とを備えていることを特徴とする。
この内視鏡用処置具は、第１の接続部と第１の係止部とを係合させ、第２の接続部と第２の係止部とを係合させて第１の係止部と第２の係止部とを操作することによって、処置部を操作することができる。
【００１７】
また、本発明に係る内視鏡用処置具は、前記内視鏡用処置具であって、前記第１の接続部と前記第２の接続部との間に、これらの間隔を保持するバネ部材が配されていることを特徴とする。
この内視鏡用処置具は、処置具挿入部をロール状部材へ巻回するとき等に、バネ部材のバネ力によって操作管部と操作ワイヤ部との相対位置が保持され、処置部が不用意に操作されるのを抑えることができる。
【００１８】
本発明に係る内視鏡は、可撓性の挿入部と、該挿入部の基端に接続された内視鏡操作部とを備え、前記内視鏡操作部に、本発明に係る内視鏡用処置具の取付部が着脱可能な受け部が、前記内視鏡操作部に配設された鉗子口よりも前記内視鏡操作部の基端側に配されていることを特徴とする。
この内視鏡は、受け部と取付部とを接続することによって収納装置を鉗子チャンネルに近づけて配設することができ、処置具挿入部の露出部分を減らした状態で取り扱うことができる。
【００１９】
また、本発明に係る内視鏡は、前記内視鏡であって、前記受け部が複数設けられていることを特徴とする。
この内視鏡は、処置具を複数使用する場合、必要な数の内視鏡用処置具の取付部を各受け部に取り付けることができる。したがって、複数の処置具の交換時間を短縮することができ、処置具の取扱いを容易に行うことができる。  
【００２０】
本発明に係る内視鏡用処置具システムは、生体に処置を行う処置部を先端に有して内視鏡の鉗子チャンネルに挿通可能な処置具挿入部と、該処置具挿入部を収納する収納装置と、前記処置部を操作指示する指示手段と、該指示手段による指示に基づき前記処置部を駆動する駆動手段とからなり、前記収納装置が、前記内視鏡の鉗子口近傍に着脱可能な取付部を備えていることを特徴とする。
【００２１】
この内視鏡用処置具システムは、処置具挿入部が収納装置に収納されているので、処置具の取扱いを容易にすることができる。また、収納装置が取付部によって内視鏡に着脱自在とされているので、処置具による操作が必要なときのみ内視鏡に取り付けて処置を行うことができる。また、内視鏡に取り付けた状態で指示手段から駆動手段を駆動することによって、その場で処置部を駆動することができる。
【００２２】
また、本発明に係る内視鏡用処置具システムは、前記内視鏡用処置具システムであって、前記収納装置が、収納本体と、該収納本体に回転可能に枢支され前記処置具挿入部の基端側を支持するとともに処置具挿入部を外周面に巻回可能なロール状部材とからなり、前記駆動手段が、前記処置具挿入部と直接、又は前記ロール状部材を介して着脱可能とされていることを特徴とする。
また、本発明に係る内視鏡用処置具システムは、前記内視鏡用処置具システムであって、前記ロール状部材には、前記駆動手段が着脱可能な接続部が設けられていることを特徴とする。
【００２３】
この内視鏡用処置具システムは、駆動手段を駆動することによって、ロール状部材をその中心軸まわりに回転することによって処置具挿入部をロール状部材の外周面に巻回することができ、処置具挿入部をコンパクトに収納して処置具挿入部の挿抜時における取扱いの煩わしさを抑えることができる。また、処置部の操作が必要なときのみ駆動手段を処置具挿入部と直接、或いは、前記ロール状部材を介して、又は接続部に取り付けて駆動することができ、それ以外のときには駆動手段を外した状態でロール部材に処置具挿入部を巻回することができ、駆動手段が周囲に干渉することを抑えることができる。
【００２４】
また、本発明に係る内視鏡用処置具システムは、前記内視鏡用処置具システムであって、前記ロール状部材には、前記接続部が露出して配された切欠部が形成されていることを特徴とする。
また、本発明に係る内視鏡用処置具システムは、前記内視鏡用処置具システムであって、前記切欠部が前記ロール状部材の中央部の側面に開放して設けられ、前記接続部が前記ロール状部材の外周方向から径方向内方に向かって延びて前記切欠部に露出されていることが好ましい。
【００２５】
この内視鏡用処置具システムは、駆動手段と接続部とをそれぞれ接続する際、処置具挿入部がロール状部材に巻回状態とされていても、接続部が処置具挿入部に埋没されることを防ぐことができ、処置具挿入部がロール状部材に巻回された状態でも駆動手段を接続部に着脱することができる。
【００２６】
また、本発明に係る内視鏡用処置具システムは、前記内視鏡用処置具システムであって、前記接続部は、前記処置具挿入部に設けられていることを特徴とする。
この内視鏡用処置具システムは、駆動手段を直接処置具挿入部に取り付けることができる。
【００２７】
また、本発明に係る内視鏡用処置具システムは、前記内視鏡用処置具システムであって、前記ロール状部材の外周面の少なくとも一部を覆う覆い部材が前記収納本体に支持されていることを特徴とする。
この内視鏡用処置具システムは、処置具挿入部を鉗子チャンネルから引き抜いてロール状部材に巻回する際、処置具挿入部がロール状部材の外周面から外方に飛び出そうとしても、覆い部材に接触させてそれ以上処置具挿入部が外方に飛び出すことを抑えることができ、処置具挿入部の巻回を容易に行うことができる。
【００２８】
また、本発明に係る内視鏡用処置具システムは、前記内視鏡用処置具システムであって、前記取付部が、前記収納本体に回転自在に接続されていることを特徴とする。
この内視鏡用処置具システムは、内視鏡に内視鏡用処置具の取付部を取り付けた際、取付部に対して収納本体を回転することによって収納本体の向きを手技の邪魔にならない向きに変更することができる。
【００２９】
また、本発明に係る内視鏡用処置具システムは、前記内視鏡用処置具システムであって、前記処置具挿入部が、可撓性の操作管部と、該操作管部の内部に進退自在に延びて前記駆動手段の駆動力を前記処置部に伝達する操作ワイヤ部とからなり、前記接続部が、前記操作管部の基端側又は前記ロール状部材に配設されて前記駆動手段と接続可能な第１の接続部と、前記操作ワイヤ部の基端側に配設されて前記駆動手段と接続可能な第２の接続部とを備えていることを特徴とする。
この内視鏡用処置具システムは、駆動手段と第１の接続部及び第２の接続部とをそれぞれ接続することによって、駆動力を処置部に伝達して操作することができる。
【００３０】
また、本発明に係る内視鏡用処置具システムは、前記内視鏡用処置具システムであって、前記ロール状部材には、前記処置具挿入部が巻回される外周面と前記切欠部とを連通し、前記操作管部が前記外周面側の一端に接続された通路が設けられ、前記第１の接続部が、前記通路の他端に設けられ、前記第２の接続部が、前記通路を貫通して前記切欠部に露出された前記操作ワイヤ部の基端に設けられていることを特徴とする。
【００３１】
また、本発明に係る内視鏡用処置具システムは、前記内視鏡用処置具システムであって、前記ロール状部材には、前記処置具挿入部が巻回される外周面と前記切欠部とを連通し、前記操作管部と前記操作ワイヤ部との基端側が貫通可能な通路が設けられ、前記第１の接続部が、前記操作管部の基端に設けられ、前記第２の接続部が、前記操作ワイヤ部の基端に設けられていることを特徴とする。
この内視鏡用処置具は、駆動手段を駆動することによって第１の接続部と第２の接続部との相対距離を変えることができ、操作管部に対して操作ワイヤ部を相対的に移動させて処置部を操作することができる。
【００３２】
また、本発明に係る内視鏡用処置具システムは、前記内視鏡用処置具システムであって、前記駆動手段が、前記第１の接続部と係合可能な第１の係止部と、前記第２の接続部と係合可能な第２の係止部とを備えていることを特徴とする。
この内視鏡用処置具システムは、第１の接続部と第１の係止部とを係合させ、第２の接続部と第２の係止部とを係合させて第１の係止部と第２の係止部とを駆動することによって、処置部を操作することができる。
【００３３】
また、本発明に係る内視鏡用処置具システムは、前記内視鏡用処置具システムであって、前記第１の接続部と前記第２の接続部との間に、これらの間隔を保持するバネ部材が配されていることを特徴とする。
この内視鏡用処置具システムは、処置具挿入部をロール状部材へ巻回するとき等に、バネ部材のバネ力によって操作管部と操作ワイヤ部との相対位置が保持され、処置部が不用意に操作されるのを抑えることができる。
【００３４】
本発明に係る内視鏡用処置具システムは、可撓性の挿入部と、該挿入部の基端に接続された内視鏡操作部とを有する内視鏡を備え、前記内視鏡操作部に、本発明に係る内視鏡用処置具の取付部が着脱可能な受け部が、前記内視鏡操作部に配設された鉗子口よりも前記内視鏡操作部の基端側に配されていることを特徴とする。
この内視鏡用処置具システムは、内視鏡の受け部と内視鏡用処置具の取付部とを接続することによって収納装置を鉗子チャンネルに近づけて配設することができ、処置具挿入部の露出部分を減らした状態で取り扱うことができる。
【００３５】
また、本発明に係る内視鏡用処置具システムは、前記内視鏡用処置具システムであって、前記受け部が複数設けられていることを特徴とする。
この内視鏡用処置具システムは、処置具を複数使用する場合、必要な数の内視鏡用処置具の取付部を内視鏡の各受け部に取り付けることができる。したがって、複数の処置具の交換時間を短縮することができ、処置具の取扱いを容易に行うことができる。
【発明の効果】
【００３６】
本発明によれば、処置具挿入部をコンパクトに収納して手技の短時間化及び容易化を図ることができ、処置具挿入部の挿抜の際に収納装置や処置具の操作部を周囲と干渉させずに処置具挿入部の挿抜を行うことができる。
【発明を実施するための最良の形態】
【００３７】
本発明に係る内視鏡用処置具及び内視鏡の第１の実施形態について、図１から図７を参照しながら説明する。
本実施形態に係る鉗子（内視鏡用処置具）１は、生検鉗子であって、図１に示すように、先端に生体組織の採取を行う一対の鉗子片（処置部）２、３を有し内視鏡５の鉗子チャンネル６に挿通可能な可撓性挿入部（処置具挿入部）７と、可撓性挿入部７を収納する収納装置８と、一対の鉗子片２，３を操作する操作部１０とを備えている。
収納装置８は、図２から図４に示すように、収納本体１１と、収納本体１１に中心軸が回転可能に枢支され可撓性挿入部７の基端側を支持するとともに可撓性挿入部７を外周面に巻回可能な円柱状のロール状部材１２と、収納本体１１に設けられ内視鏡５に着脱可能に形成された取付部１３とを備えている。
【００３８】
収納本体１１は、ロール状部材１２の外径よりも大きい円盤状に形成された底面１１ａの周縁部の一部に側面１１ｂが立設されたケース１１Ａと、底面１１ａに略平行に配されるとともに円盤状に形成された蓋部１１Ｂとを備えている。この側面１１ｂが、ロール状部材１２の外周面の一部を覆うとともに、可撓性挿入部７を突出可能な開口部１５Ａが設けられたカバー（覆い部材）１５とされている。
蓋部１１Ｂの中央部には、円状の孔部１６が形成されており、底面１１ａの中央部には、収納本体１１内側に向かって凸状部１７が形成されている。
【００３９】
ロール状部材１２には、可撓性挿入部７の基端が露出して配された切欠部１８が蓋部１１Ｂ側に形成されている。
切欠部１８は、孔部１６から外部に露出されており、ロール状部材１２の外周面から径方向内方に向かって延びる可撓性挿入部７の基端がこの切欠部１８に露出されている。
収納本体１１の底面１１ａ側の、ロール状部材１２の中央部には凹部２０が形成され、軸受２１を介して底面１１ａの凸状部１７と嵌合されて回転可能に枢支されている。
収納本体１１には、外周方向に突出して形成された突出部２２が形成されており、突出部２２の先端に、棒状に形成された取付部１３が突出部２２に対して軸回りに回転自在に取り付けられている。
また、ロール状部材１２には、可撓性挿入部７が巻回される外周面と切欠部１８とを練通させる通路２３が設けられている。
【００４０】
可撓性挿入部７は、可撓性の操作管部２５と、操作管部２５の内部に進退自在に延びて操作部１０の操作を一対の鉗子片２、３に伝達する操作ワイヤ部２６とを備えている。
操作管部２５の基端には、通路２３よりも大きい径を有する管状の基部２７Ａと、基部２７Ａの端部に接続されたフランジ部２７Ｂとからなる第１の接続部２７が設けられている。基部２７Ａは、切欠部１８内でロール状部材１２に固定されている。
操作ワイヤ部２６の基端には、通路２３よりも大きい径を有する球状の第１のワイヤ端部２８と、第１のワイヤ端部２８から先端側に一定の間隔で離間してフランジ状に形成された第２のワイヤ端部２９と、第１のワイヤ端部２８と第２のワイヤ端部２９とを接続する管状の係止部２６Ａとからなる第２の接続部３０が設けられている。
また、フランジ部２７Ｂと第２のワイヤ端部２９との間には、これらの間隔を保持するバネ部材３１が配設されている。
【００４１】
操作部１０は、図５に示すように、一対の鋏状部材３２、３３を備え、それぞれの中央部近傍で互いに回動自在に枢支されている。
鋏状部材３２の先端には、第１接続部２７が係合可能な操作管部挿入溝（第１の係止部）３４が形成され、鋏状部材３３の先端には、第２接続部３０が係合可能とされるとともに第１のワイヤ端部２８及び第２のワイヤ端部２９よりも小さい幅とされたワイヤ挿入溝（第２の係止部）３５が形成されている。また、一対の鋏状部材３２、３３の基端には、指を挿通して開閉操作可能な指掛部３６が設けられている。
一対の鋏状部材３２、３３の基端側には、弾性を有し、互いに内側に突出して交差可能に形成されたラチェット３７が配設されている。ラチェット３７の交差面には、互いに係合可能とされて互いに接近する方向にのみスライド可能な顎状の歯３７Ａが形成されている。
【００４２】
内視鏡５は、図１に示すように、可撓性の挿入部３８と、挿入部３８の基端に接続された内視鏡操作部４０とを備えている。
内視鏡操作部４０には、収納装置８の取付部１３が着脱可能な係合部材４１が設けられており、係合部材４１には、取付部１３が係合可能な係合孔（受け部）４２が設けられている。
この係合部材４１は、内視鏡操作部４０に配設された鉗子口４３よりも内視鏡操作部４０の基端側に配されている。
【００４３】
次に、本実施形態に係る鉗子１及び内視鏡５の操作方法、及び、作用・効果について説明する。
まず、図１及び図２に示すように、可撓性挿入部７の基端側がロール状部材１２に巻回され、一対の鉗子片２、３が収納本体１１から突出した状態の鉗子１を用意して、内視鏡５の係合孔４２に鉗子１の取付部１３を挿入する。
続いて、内視鏡５の挿入部３８の先端側を体腔内に挿入する。このとき、内視鏡５の操作の邪魔にならないように、収納装置８の向きを調整しておく。
【００４４】
挿入部３８を挿入後、生検を行う際は、収納本体１１から突出した可撓性挿入部７の先端を把持して鉗子口４３から鉗子チャンネル６内に押し込む。このとき、押し込み操作に伴って、ロール状部材１２が収納本体１１に対して回転し、可撓性挿入部７がスムーズに鉗子チャンネル６内に送り出される。
一対の鉗子片２、３を鉗子チャンネル６の先端から所望の位置まで突出させた後、図６に示すように、収納本体１１の蓋部１１Ｂ側から操作部１０を切欠部１８に近づけ、図７に示すように、基部２７Ａに操作管部挿入溝３４を係合してフランジ部２７Ｂに係止する。そして、操作ワイヤ部２６における第１のワイヤ端部２８と第２のワイヤ端部２９との間の係止部２６Ａにワイヤ挿入溝３５を係合して、操作部１０を可撓性挿入部７の基端に取り付ける。
【００４５】
そして、一対の鋏状部材３２、３３のそれぞれの指掛部３６に指を掛けて、ラチェット３７の係合状態を解除して互いに離間させると、一対の鋏状部材３２、３３の先端側が閉じる方向に接近する。このとき、バネ部材３１が縮みながら第２の接続部３０が第１の接続部２７側に接近し、操作管部２５に対して操作ワイヤ部２６が先端側に前進して一対の鉗子片２、３が開く。
組織を掴む際には、ラチェット３７の歯３７Ａを互いに係合状態として指掛部３６に掛けた互いの指を近づけて一対の鋏状部材３２、３３の先端側を開く。このとき、バネ部材３１が元の長さに戻るとともに第２の接続部３０が第１の接続部２７から離間して、操作管部２５に対して操作ワイヤ部材２６が基端側に後退して一対の鉗子片２、３が閉じられる。この閉じた状態は、ラチェット２７によって維持される。この状態で鉗子口４３と収納本体１１との間に露出した可撓性挿入部７を引っ張り、組織をちぎって採取する。
【００４６】
組織を採取後、操作部１０を可撓性挿入部７から取り外すとともに、鉗子口４３と収納本体１１との間に露出した可撓性挿入部７を持って、可撓性挿入部７を収納本体１１内に押し込む。このとき、この押し込み力によってロール状部材１２が軸受２１によって凸状部１７まわりを回転し、ロール状部材１２の外周面に可撓性挿入部７が巻回される。この際、押し込み力の大きさによっては、可撓性挿入部７がロール状部材１２の接線方向にそのまま飛び出す場合があるが、カバー１５の内周面に当たってロール状部材１２に跳ね返され、そのままロール状部材１２に巻回される。
【００４７】
この鉗子１及び内視鏡５によれば、ロール状部材１２を回転して可撓性挿入部７をロール状部材１２の外周面に巻回することができ、可撓性挿入部７をコンパクトに収納して、可撓性挿入部７の挿抜時の取扱の煩わしさを抑えることができる。また、可撓性挿入部７の基端が切欠部１８に露出しているので、可撓性挿入部７がロール状部材１２に巻回状態とされていても、基端が可撓性挿入部７自身に埋没されることを防ぐことができ、可撓性挿入部７の巻回状態に関係なくその基端に接近して操作等を行うことができる。
また、収納装置８が内視鏡５に着脱可能に形成されているので、鉗子１が必要な場合のみ内視鏡５に取り付けて鉗子チャンネル６に挿入することができる。
【００４８】
さらに、可撓性挿入部７を鉗子チャンネル６から引き抜いてロール状部材１２に巻回する際、可撓性挿入部７が収納本体１１外方に飛び出すことをカバー１５が抑え、可撓性挿入部７の巻回を容易に行うことができる。
また、鉗子１の操作が必要なときには、操作部１０を可撓性挿入部７の基端に装着して、一対の鉗子片２、３を操作することができる。したがって、可撓性挿入部７の巻回時や鉗子チャンネル６への挿抜時には操作部１０を取り付ける必要がなく、従来のように操作部が周囲と干渉することを抑えることができる。
【００４９】
また、バネ部材３１が配設されているので、可撓性挿入部７のロール状部材１２への巻回時等に、バネ部材３１のバネ力によって操作管部２５と操作ワイヤ部２６との相対位置が保持され、一対の鉗子片２、３が不用意に開くのを抑えることができる。
また、収納装置８を鉗子チャンネル６に近づけて配設するので、可撓性挿入部７の露出部分を減らして手技の邪魔にならないようにすることができる。
また、収納装置８と鉗子口４３との間に術者の手を挿入する隙間を形成することができ、収納装置８より突出した可撓性挿入部７を鉗子チャンネル６内に容易に挿入することができるとともに、術者の手による可撓性挿入部７の微妙な進退操作を行うことができる。
【００５０】
次に、第２の実施形態について図８から図１３を参照しながら説明する。
なお、上述した第１の実施形態と同様の構成要素には同一符号を付すとともに説明を省略する。
第２の実施形態と第１の実施形態との異なる点は、第２の実施形態に係る鉗子４５の収納装置４６におけるロール状部材４７の切欠部４８が、図８から図１０に示すように、ロール状部材４７の中心から径方向外方に向かって扇状に設けられ、可撓性挿入部７の基端がこの中心から径方向外方に向かって延びて切欠部４８に露出して載置されているとしている点である。
【００５１】
収納本体５０は、ケース５０Ａが第１の実施形態と同様の形状とされているが、側面５０ｂは可撓性挿入部７が突出する部分と切欠部４８に相当する領域を除かれて形成されてロール状部材４７の外周面を覆うとともに、可撓性挿入部７を突出可能な開口部５１Ａが設けられた第１のカバー（覆い部材）５１とされ、切欠部４８に相当する領域を覆うことができる第２のカバー（覆い部材）５２が側面５０ｂの外周に沿って設けられている。
第２のカバー５２は、底面５０ａ及び蓋部５０Ｂの中心に回転自在に枢支され、側面５０ｂの外側を周方向にスライド可能とされている。
なお、蓋部５０Ｂには孔部は形成されておらず円盤状に形成されている。
【００５２】
操作部５３は、可撓性挿入部７の基端に着脱可能とされており、図１１に示すように、棒状の操作部本体５５と、操作部本体５５の一端５５ａから他端５５ｂの間を中心軸に沿ってスライド可能なスライド部５６とを備えている。
操作部本体５５の一端５５ａには、フランジ部２７Ｂが係止可能な操作管部挿入溝５７が形成され、スライド部５６には、フランジ状の第１のワイヤ端部５８が係止可能なワイヤ挿入溝５９が形成されている。また、操作部本体５５の基端及びスライド部５６には、指を挿通してスライド部５６の進退操作を可能とする指掛部６０が設けられている。
第１のワイヤ端部５８は、ワイヤ挿入溝５９との係合時に操作ワイヤ部２６が支持されるように操作ワイヤ部２６よりも大きい径で形成され、フランジ部２７Ｂと第１のワイヤ端部５８との間には、これらの間隔を保持するバネ部材３１が配設されている。
【００５３】
次に、本実施形態に係る鉗子４５及び内視鏡５の操作方法、及び、作用・効果について説明する。
まず、図８に示すように、可撓性挿入部７の基端側がロール状部材４７に巻回され、一対の鉗子片２、３が開口部５１Ａから突出した状態の鉗子４５を用意して、内視鏡５の係合孔４２に鉗子４５の取付部１３を挿入する。このとき、第２のカバー５２は、切欠部４８上を覆う位置に配しておく。
【００５４】
一対の鉗子片２、３を鉗子チャンネル６の先端から所望の位置まで突出させた後、第２のカバー５２を切欠部４８が外部に露出する位置までスライドさせる。そして、図１２及び図１３に示すように、フランジ部２７Ｂに操作管部挿入溝５７を係合して係止するとともに、第１のワイヤ端部５８にワイヤ挿入溝５９を係合して係止して、操作部５３を可撓性挿入部７の基端に取り付ける。
【００５５】
そして、指掛部６０に指を掛けてスライド部５６を一端５５ａ側にスライドすると、操作管部２５に対して操作ワイヤ部２６が先端側に前進し、バネ部材３１が縮む一方、一対の鉗子片２、３が開く。
組織を掴む際には、スライド部５６を他端５５側にスライドすると、操作管部２５に対して操作ワイヤ部２６が基端側に後退し、バネ部材３１が元の長さに戻る一方、一対の鉗子片２、３が閉じられる。この状態で、第１の実施形態と同様に組織をちぎって採取する。
【００５６】
組織を採取後、操作部５３を可撓性挿入部７から取り外すとともに、鉗子口４３と収納本体５０との間に露出した可撓性挿入部７を持って、収納本体５０内に押し込む。このとき、この押し込み力によってロール状部材４７が回転し、ロール状部材４７の外周面に可撓性挿入部７が巻回される。この際、押し込み力の大きさによっては、可撓性挿入部７がロール状部材４７の接線方向にそのまま飛び出す場合も有り得るが、第１のカバー５１或いは第２のカバー５２の内周面に当たってロール状部材４７に跳ね返され、そのままロール状部材４７に巻回される。
この鉗子４５及び内視鏡５によれば、第１の実施形態と同様の作用・効果を得ることができ、ロール状部材４７の径方向外方から可撓性挿入部７の基端に接近して開閉操作を行うことができる。
【００５７】
次に、第３の実施形態について図１４及び図１５を参照しながら説明する。
なお、上述した実施形態と同様の構成要素には同一符号を付すとともに説明を省略する。
第３の実施形態と上記他の実施形態との異なる点は、第３の実施形態に係る内視鏡６１の係合部材６２には、係合孔４２が複数並んで設けられているとしている点である。
【００５８】
この内視鏡６１にて複数の処置を続けて行う場合、異なる種類の処置具を用意してそれぞれの取付部１３を各係合孔４２に取り付ける。そして、所望の処置に該当する処置具は、上記実施形態に係る収納装置の向きを調整して可撓性挿入部７が鉗子口４３に挿入しやすい向きに調整する。一方、該当しない処置具は、その収納装置を該当する処置具の操作の邪魔にならない向きに回転しておく。
【００５９】
こうして、該当する処置具による処置を上述と同様に行う。
続けて他の処置具による処置を行う場合、処置の終わった処置具の収納装置の向きを変えるとともに、次の処置に使用する処置具の向きを鉗子口４３に挿入しやすい向きにして、引き続き上述と同様の方法で処置を行う。
この内視鏡６１によれば、上述した実施形態に係る鉗子を使用する場合と同様の作用・効果が得られることに加え、処置具を複数使用する場合、各処置具の交換時間を短縮することができ、処置具の取扱いを容易に行うことができる。
なお、消耗の激しい処置具等では、同じ種類の処置具を複数取り付けても良い。
【００６０】
次に、第４の実施形態について図１６及び図１７を参照しながら説明する。
なお、上述した実施形態と同様の構成要素には同一符号を付すとともに説明を省略する。
第４の実施形態と第１の実施形態との異なる点は、第１の実施形態では、操作管部２５と操作ワイヤ部２６との基端が通路２３を貫通して切欠部１８に露出され、操作管部２５と第１の接続部２７とが接続されているとしているが、第４の実施形態では、操作管部２５の基端が通路２３の外周面側の一端２３Ａに接続されて、第１の接続部２７が通路２３の他端２３Ｂに接続され、操作ワイヤ部２６の基端が通路２３を貫通して切欠部１８に露出されて第２の接続部３０が設けられているとした点である。
本実施形態に係る鉗子６３も第１の実施形態と同様の操作方法によって同様の作用・効果を奏することができる。
【００６１】
次に、第５の実施形態について図１８を参照しながら説明する。
なお、上述した実施形態と同様の構成要素には同一符号を付すとともに説明を省略する。
第５の実施形態と第１の実施形態との異なる点は、第１の実施形態における内視鏡用処置具は生検鉗子とされているが、本実施形態に係る内視鏡用処置具は高周波凝固子６５とされている点である。
【００６２】
高周波凝固子６５は、外部の図示しない電源（エネルギー源）から供給された高周波出力（エネルギー）に基づき生体に処置を行うエネルギー処置部６６Ａを先端に有して不図示の内視鏡の鉗子チャンネルに挿通可能な、電気絶縁性を有する可撓性挿入部６６と、可撓性挿入部７を収納する収納装置８と、供給される高周波出力をエネルギー処置部６６Ａに伝達するエネルギー伝達端６７とからなり、収納装置８が、内視鏡操作部の係合部材に配された係合孔に着脱可能な取付部１３を備えている。
【００６３】
エネルギー処置部６６Ａは、可撓性挿入部６６の先端に嵌挿固定された先端部材６８と、先端部材６８を介して可撓性挿入部７内に配された図示しない導電線と接続され導電性セラミックスからなる球状の先端チップ７０とを備えている。
導電線は、ロール状部材１２に設けられた切欠部１８に露出された電気接点（接続部）７１に接続されている。
【００６４】
エネルギー伝達端６７は、伝達端本体７２と、伝達端本体７２の先端に電気接点７１と係合可能な嵌部７３が形成された係止部７５と、係止部７５と接続されて伝達端本体７２の基端側に延びるコード接続部７６とを備えている。コード接続部７６は、さらに図示しないコードを介して図示しない電源と接続される。
【００６５】
次に、本実施形態に係る高周波凝固子６５の操作方法、及び、作用・効果について説明する。
まず、可撓性挿入部７の基端側がロール状部材１２に巻回され、エネルギー処置部６６Ａが収納本体１１から突出した状態の高周波凝固子６５を用意して、不図示の内視鏡の係合孔に取付部１３を挿入する。
【００６６】
可撓性挿入部６６を鉗子チャンネル内に送り出して、先端チップ７０を鉗子チャンネルの先端から所望の位置まで突出させた後、収納本体１１の蓋部１１Ｂ側からエネルギー伝達端６７を切欠部１８に近づけ、電気接点７１と嵌部７３とを嵌合してエネルギー伝達端６７と図示しない導電線とを電気的に接続する。そして、図示しない電源から高周波出力をエネルギー伝達端６７に供給すると、先端チップ７０に高周波出力が供給されて先端チップ７０が加熱して患部を焼灼して出血点を凝固させる。
【００６７】
この高周波凝固子６５によれば、上記実施形態と同様に、ロール状部材１２を回転して可撓性挿入部６６をロール状部材１２の外周面に巻回することができ、可撓性挿入部６６をコンパクトに収納して、可撓性挿入部６６の挿抜時の取扱の煩わしさを抑えることができる。
また、可撓性挿入部６６の基端が切欠部１８に露出しているので、可撓性挿入部６６がロール状部材１２に巻回状態とされていても、基端が可撓性挿入部６６自身に埋没されることを防ぐことができ、可撓性挿入部６６の巻回状態に関係なくその基端に接近して操作等を行うことができる。
また、収納装置８が内視鏡に着脱可能に形成されているので、高周波凝固子６５が必要な場合のみ内視鏡の係合孔に取り付けて鉗子チャンネルに挿入することができる。
【００６８】
次に、第６の実施形態について図１９及び図２０を参照しながら説明する。
なお、上述した実施形態と同様の構成要素には同一符号を付すとともに説明を省略する。
第６の実施形態と第１の実施形態との異なる点は、本実施形態に係る内視鏡８０が、一対の鉗子片２、３を操作指示する指示手段８１と、指示手段８１による指示に基づき一対の鉗子片２，３を駆動する駆動手段８２とを備えている内視鏡用処置具システム８３とした点である。
【００６９】
駆動手段８２は、鉗子口４３を挟んで内視鏡操作部８５と対向する位置に、一端８６ａが内視鏡操作部８５の係合部材４１に対して回動自在に配された支持部８６と、支持部８６の他端８６ｂ側に配された操作部８７と、操作部８７を駆動する図示しないアクチュエータとを備えている。
指示手段８１は、内視鏡操作部８５に配されており、図示しないアクチュエータと接続されて操作部８７を操作する。
操作部８７は、第１の係止部８８と第２の係止部９０とを備え、鉗子９１の第１の接続部９２と第２の接続部９３とにそれぞれ係合可能とされている。
【００７０】
次に、本実施形態に係る内視鏡用処置具システム８３の操作方法、及び、作用・効果について説明する。
まず、上記実施形態と同様に、内視鏡８０の係合孔４２に鉗子９１の取付部１３を挿入する。
挿入部３８の先端側を体腔内に挿入後、処置を行う際は、収納本体１１から突出した可撓性挿入部７の先端を把持して鉗子口４３から鉗子チャンネル６内に押し込む。このとき、押し込み操作に伴って、ロール状部材１２が収納本体１１に対して回転し、可撓性挿入部７がスムーズに鉗子チャンネル６内に送り出される。
【００７１】
一対の鉗子片２、３を鉗子チャンネル６の先端から所望の位置まで突出させた後、図２０に示すように、支持部８６の一端８６ａ側を回転中心として支持部８６を係合部材４１に対して回転させて第１の係止部８８と第１の接続部９２及び第２の係止部９０と第２の接続部９３とをそれぞれ接続する。
そして、指示手段８１を操作して不図示のアクチュエータを駆動すると、第１の係止部８８に対して第２の係止部９０が相対移動して図示しない操作ワイヤ部を操作管部２５に対して進退させ、一対の鉗子片２、３を開閉操作させる。
【００７２】
処置を終了後、第１の係止部８８と第１の接続部９２及び第２の係止部９０と第２の接続部９３とをそれぞれ脱離させ、鉗子口４３と収納本体１１との間に露出した可撓性挿入部７を持って、可撓性挿入部７を収納本体１１内に押し込んでロール状部材１２に巻回させる。一方、支持部８６を、他端８６ｂが鉗子口４３よりも挿入部３８側となるように、一端８６ａを中心として回転させる。
この内視鏡用処置具システム８３によれば、鉗子９１を内視鏡８０に取り付けた状態で操作部１０によらず指示手段８１からの指示によって駆動手段を駆動して、一対の鉗子片２、３を駆動することができる。
【００７３】
なお、本発明の技術範囲は上記実施の形態に限定されるものではなく、本発明の趣旨を逸脱しない範囲において種々の変更を加えることが可能である。
例えば、上記第５の実施形態以外の実施形態では、内視鏡用処置具として生検鉗子としているが、生検鉗子に限らず可動部を有する他の処置具であっても構わない。
【００７４】
また、ロール状部材１２、４７は、収納本体１１、５０に回転自在に枢支されているとしているが、収納本体とロール状部材との間にゼンマイバネ部材を介装し、ロール状部材の側面に接してロール状部材の回転を制動する制動部材と制動部材をロール状部材から引き離す解除部材とを収納本体に設けてもよい。この場合、処置具挿入部を収納装置から引き出す際には手動で行うが、引出し操作によってゼンマイバネ部材が収縮してバネ力が蓄積され、処置具挿入部をロール状部材に巻回する際には、解除部材を操作して制動部材をロール状部材から離すと、バネ力でロール状部材が回転して処置具挿入部が巻回される。
この内視鏡用処置具によれば、ロール状部材そのものを回転させるので、処置具挿入部をより容易にロール状部材に巻回することができるとともに、処置の短時間化、容易化をより図ることができる。
【００７５】
さらに、図２１に示すように、鉗子９５の取付部９６が、突出部２２に対して軸回り以外の方向にも回転可能なボールジョイント部９７とされていても構わない。
この場合、図２２に示すように、収納装置８の向きを内視鏡５に対して３次元的に変えることができ、より所望の方向に移動させることができる。
また、上記実施形態では、処置具挿入部７を手動で鉗子口４３から鉗子チャンネル６内へ挿抜させているが、ローラ等による自動挿抜機構を内視鏡に設けて処置具挿入部を挿抜させても構わない。
【図面の簡単な説明】
【００７６】
【図１】本発明に係る第１の実施形態の鉗子を内視鏡に装着した状態を示す斜視図である。
【図２】本発明に係る第１の実施形態の鉗子とを示す斜視図である。
【図３】図２のＡ−Ａ断面図である。
【図４】図２のＢ方向矢視図である。
【図５】本発明に係る第１の実施形態の操作部とを示す斜視図である。
【図６】本発明に係る第１の実施形態の収納装置に操作部を装着する状態を示す平面図である。
【図７】本発明に係る第１の実施形態の可撓性挿入部に操作部を装着する状態を示す要部拡大図である。
【図８】本発明に係る第２の実施形態の鉗子とを示す斜視図である。
【図９】図８のＣ方向矢視図である。
【図１０】図９のＤ−Ｄ断面図である。
【図１１】本発明に係る第２の実施形態の操作部を示す斜視図である。
【図１２】本発明に係る第２の実施形態の鉗子に操作部を装着した状態を示す平面図である。
【図１３】図１２のＥ−Ｅ断面図である。
【図１４】本発明に係る第３の実施形態の鉗子と内視鏡とを示す斜視図である。
【図１５】本発明に係る第３の実施形態の内視鏡に鉗子を装着する状態を示す斜視図である。
【図１６】本発明に係る第４の実施形態の鉗子を示す斜視図である。
【図１７】図１６のＦ−Ｆ断面図である。
【図１８】本発明に係る第５の実施形態の鉗子を示す斜視図である。
【図１９】本発明に係る第６の実施形態の内視鏡用処置具システムを示す斜視図である。
【図２０】本発明に係る第６の実施形態の内視鏡用処置具システムを示す斜視図である。
【図２１】本発明に係る他の実施形態の鉗子を示す斜視図である。
【図２２】本発明に係る他の実施形態の鉗子と内視鏡とを示す斜視図である。
【符号の説明】
【００７７】
１、４５、６３、９１、９５  鉗子
２  鉗子片（処置具先端部）
３  鉗子片（処置具先端部）
５、６１、８０  内視鏡
６  鉗子チャンネル
７、６６  可撓性挿入部（処置具挿入部）
８、４６  収納装置
１０、５３、８７  操作部
１１、５０  収納本体
１２、４７  ロール状部材
１３  取付部
１５  カバー（覆い部材）
１８、４８  切欠部
２５  操作管部
２６  操作ワイヤ部
２７  第１の接続部
３０  第２の接続部
３４  操作管部挿入溝（第１の係止部）
３５  ワイヤ挿入溝（第２の係止部）
３８  挿入部
４０  内視鏡操作部
４１、６２  係合部材
４２  係合孔（受け部）
４３  鉗子口
５１  第１のカバー（覆い部材）
５２  第２のカバー（覆い部材）
６５  高周波凝固子（内視鏡用処置具）
６６Ａ  エネルギー処置部
６７  エネルギー伝達端
７１  電気接点（接続部）
８１  指示手段
８２  駆動手段
８３  内視鏡用処置具システム
８８  第１の係止部
９０  第２の係止部
９２  第１の接続部
９３  第２の接続部
【図１】
2005230159.tif 000003
【図２】
2005230159.tif 000004
【図３】
2005230159.tif 000005
【図４】
2005230159.tif 000006
【図５】
2005230159.tif 000007
【図６】
2005230159.tif 000008
【図７】
2005230159.tif 000009
【図８】
2005230159.tif 000010
【図９】
2005230159.tif 000011
【図１０】
2005230159.tif 000012
【図１１】
2005230159.tif 000013
【図１２】
2005230159.tif 000014
【図１３】
2005230159.tif 000015
【図１４】
2005230159.tif 000016
【図１５】
2005230159.tif 000017
【図１６】
2005230159.tif 000018
【図１７】
2005230159.tif 000019
【図１８】
2005230159.tif 000020
【図１９】
2005230159.tif 000021
【図２０】
2005230159.tif 000022
【図２１】
2005230159.tif 000023
【図２２】
2005230159.tif 000024